(57)【特許請求の範囲】
【請求項１】
建物の基礎表面からの高さを調整する調整ボルトと該調整ボルトに螺合する調整ナットを設けたナット部材とを有するレベル調整台座であって、前記ナット部材には床下地材の裏面に接触する接触面と、前記床下地材を固定する木ねじ乃至タッピングねじを取り付けるための水平方向に広がった板状のねじ固定部とを有し、前記接触面と前記ねじ固定部との間には、前記木ねじ乃至タッピングねじを前記床下地材の表面側から前記ねじ固定部に向かってねじ込むことで生じる前記床下地材及び前記ねじ固定部の削り屑が入り込むことのできる間隙が設けられていることを特徴とする床下地材のレベル調整台座。
【請求項２】
前記接触面が前記ナット部材の一部であるリブの先端面であることを特徴とする請求項１に記載の床下地材のレベル調整台座。
【請求項３】
前記ナット部材には、前記調整ナットの軸心と略同一の軸心を有し前記調整ボルトが貫通できる筒状リブが立設し、該筒状リブの外形形状が前記床下地材に明けられる取付孔に嵌合できるようになっていることを特徴とする請求項１又は２に記載の床下地材のレベル調整台座。
【請求項４】
前記筒状リブの外周に前記接触面を有することを特徴とする請求項３に記載の床下地材のレベル調整台座。
【発明の詳細な説明】
【０００１】
【発明の属する技術分野】
この発明は、建物の基礎表面から一定の高さを置いて床下地材を取り付けるためのレベル調整が可能なレベル調整台座に関するものである。
【０００２】
【従来の技術】
従来、この種のレベル調整台座は、古くは図５に示したように、金属の台座板２１の片面中央に金属の調整ナット２２を固着したナット部材２３をスレート板やパーチクルボード等の床下地材２４の裏面側に固定し、さらに、調整ナット２２には、一端が基礎表面Ｇに接触する調整ボルト２５が螺合されており、この調整ボルト２５を回転することによって、基礎表面Ｇからの床下地材２４の高さを調整していた。
【０００３】
調整ボルト２５は床下地材２４の表面側から回転できるように、調整ボルト２５の頂部２６に周方向の溝２７を設けておくと共に、床下地材２４には、事前に調整ボルト２５の頂部２６を覗くことのできる取付孔２８を設けておき、この取付孔２８から調整ボルト２５の溝２７に嵌合するマイナスドライバーを挿入できるようにしていた。
【０００４】
しかしながら、この金属製のナット部材２３を使用したレベル調整台座２０にあっては、予め床下地材２４の裏面側にナット部材２３を裏面側から木ねじ乃至タッピングねじ１１で固定しておかなければならず、現場作業が面倒なものとなっていた。
【０００５】
また、最近ではコスト低減と軽量化の要求から、図６に示したように、ナット部材を合成樹脂で一体成形したものが使用されてきている。
【０００６】
この合成樹脂製のナット部材３３を採用したレベル調整台座３０にあっては、床下地材２４の表面側からナット部材３３を床下地材２４へ取り付けることを前提として考えられているため、台座板３１にはねじ止め用の孔が設けられていない。
【０００７】
【発明が解決しようとする課題】
そこで、床下地材２４にこの合成樹脂製のナット部材３３を取り付けるには、図７に示したように、最初に床下地材同士２４，２４の継ぎ目に設けた隙間３４又は予め床下地材２４に明けられた調整ボルト２６の調整用の取付孔２８を狙って床下地材２４の裏面側にナット部材３３を宛い、接着剤や小ねじを使って仮止めした後、ナット部材３３から突出した調整ボルト２５を下方に向けて床下地材２４を基礎表面Ｇ上へ敷き込み、その後床下地材２４の表面側から台座板３１を目掛けて木ねじ乃至タッピングねじ１１をねじ込んで固定していた。
【０００８】
そのため、図８に示したように、木ねじ乃至タッピングねじ１１が床下地材２４と台座板３１の両方にねじ込まれることにより、床下地材２４と台座板３１との間には、木ねじ乃至タッピングねじ１１によって削り取られた床下地材２４の削り屑１５と台座板３１の削り屑１６とがはみ出すこととなる。したがって、木ねじ乃至タッピングねじ１１のねじ込むに要するエネルギーが増えるばかりか、床下地材２４と台座板３１とが密着できなくなることで、床下地材２４の上に床材を敷いた後で建物で生活するようになってから、床材が軋むことにもなり兼ねなかった。
【０００９】
この発明は、以上のような従来のレベル調整台座の問題点を解消するために考えられたものであって、床下地材とレベル調整台座とが容易に固定できて床下地材の敷き込みも容易で、床下地材の上に床材を敷いた後で床材が軋むおそれのない床下地材のレベル調整台座を提供することを課題としている。
【００１０】
【課題を解決するための手段】
かかる課題を達成するため、請求項１に記載の発明は、建物の基礎表面からの高さを調整する調整ボルトと該調整ボルトに螺合する調整ナットを設けたナット部材とを有するレベル調整台座であって、前記ナット部材には床下地材の裏面に接触する接触面と、前記床下地材を固定する木ねじ乃至タッピングねじを取り付けるための水平方向に広がった板状のねじ固定部とを有し、前記接触面と前記ねじ固定部との間には、前記木ねじ乃至タッピングねじを前記床下地材の表面側から前記ねじ固定部に向かってねじ込むことで生じる前記床下地材及び前記ねじ固定部の削り屑が入り込むことのできる間隙が設けられていることを特徴としている。
【００１１】
請求項２に記載の発明は、請求項１に記載の構成に加えて、前記接触面が前記ナット部材から突設しているリブの端面であることを特徴としている。
【００１２】
請求項３に記載の発明は、請求項１又は２に記載の構成に加えて、前記ナット部材には、前記調整ナットの軸心と略同一の軸心を有し前記調整ボルトが貫通できる筒状リブが立設し、該筒状リブの外形形状が前記床下地材に明けられる貫通孔に嵌合できるようになっていることを特徴としている。
【００１３】
請求項４に記載の発明は、請求項３に記載の構成に加えて、前記筒状リブの外周に前記接触面を有することを特徴としている。
【００１４】
【発明の実施の形態】
以下、この発明の実施の形態を図面を用いて説明する。
【００１５】
図１は、この発明の実施の形態に係るレベル調整台座の斜視図である。図２は、この発明の実施の形態に係るレベル調整台座に床下地材を取り付けた状態の縦断面図である。図３は、この発明の実施の形態に係るレベル調整台座の平面図である。図４は、この発明の実施の形態１に係るレベル調整台座の上に床下地材を敷き込む状態を示した斜視図である。
【００１６】
図１に示したこの発明の実施の形態１は、建物の基礎表面Ｇに接地する滑り止めとなるゴム足１を下端に有し、このゴム足１から上方に向かって伸びる調整ボルト２と、この調整ボルト２と螺合する調整ナット３を設けたナット部材４とを有している。ゴム足１と調整ボルト２とは一体に固定されていてもよいが、ゴム足１と調整ボルト２とを別部材とし、ゴム足１に対して調整ボルト２が回動できる構造とすることが望ましい。これにより、ゴム足１と基礎表面Ｇとの相対運動が生ずることなく調整ボルト２のみの回動が可能となり、円滑なレベル調整が実現できる。
【００１７】
調整ボルト２は寸法と強度上の観点から金属製が好ましく、ナット部材４は造形上の観点から合成樹脂製が好ましい。
【００１８】
調整ナット３はナット部材４の中央部に設けられており、この調整ナット３の上方には調整ナット３の軸心と略同一の軸心を有する貫通孔５が設けられた筒状リブ６を有している。貫通孔５の横断面形状は調整ボルト３の外径よりも大きく形成されており、調整ボルト３の動きを妨げることがないものとなっている。筒状リブ６の先端部は床下地材７に明けられる取付孔８に嵌合できる形状と大きさをしており、筒状リブ６の長手方向の中間部外周には床下地材７の裏面に接触する接触面９を有している。
【００１９】
ナット部材４の調整ナット３の周囲には水平方向に広がった板状のねじ固定部１０を有している。ねじ固定部１０は、下穴を必要としない木ねじ乃至タッピングねじ１１をねじ込んだ場合にしっかりと固定できる厚さを備えた中実体が好ましい。
【００２０】
また、ねじ固定部１０には上方に向かう薄板状のリブ１２が設けられており、その先端面が床下地材７の裏面に接触する接触面９を構成している。これにより、リブ１２が床下地材７とねじ固定部１０とを所定の寸法に離間させるスペーサの役目を果たし、床下地材７の裏面とねじ固定部１０とに間隙１３が形成されることとなる。
【００２１】
リブ１２の厚み、数及び間隔は、ねじ固定部１０の大きさ及びナット部材４の必要とする強度等を考慮して決定されるが、その配置については図１乃至図３に示したものに拘ることはない。つまり、床下地材７を水平に保つに十分な接触面９が確保できればよく、必ずしもナット部材４の外周を囲う箇所にリブ１２がなくともよい。図示した実施の形態のように、リブ１２を薄板状にした場合は、木ねじ乃至タッピングねじ１１がリブ１２に干渉する位置にねじ込まれたとしても、リブ１２が木ねじ乃至タッピングねじ１１のねじ込みを阻止する抵抗が小さいので、ナット部材４に対する木ねじ乃至タッピングねじ１１のねじ込み位置を気にすることなく作業が進められるという利点がある。
【００２２】
次に、この発明の実施の形態１に係るレベル調整台座の使用方法について説明する。
【００２３】
まず、床下地材７に明けられている取付孔８に床下地材７の裏面側からナット部材４の筒状リブ６の先端部を挿入する。このとき、予め筒状リブ６の接触面９及び／又はリブ１２の接触面９に接着剤を塗布しておけば、床下地材７の裏面側にナット部材４を宛うだけで仮止めができるので都合がよい。勿論、接着剤を使わずに木ねじ乃至タッピングねじ１１で仮止めしてもよい。
【００２４】
他方、基礎表面Ｇ上には、予め床下地材７の継ぎ目位置に合わせてレベル調整台座１４を載置しておき、そのナット部材４の上面に取付孔８に仮止めしたレベル調整台座１４を床下地材７の両側端部を載せるようにして床下地材７を敷き込んでいく。敷き込み作業が終了したら、すべてのレベル調整台座１４のナット部材４を目掛けて床下地材７の表面側から木ねじ乃至タッピングねじ１１をねじ込む。すると、木ねじ乃至タッピングねじ１１の先端は床下地材７を貫通してナット部材４のねじ固定部１０の中実部にねじ込まれることとなり、床下地材７とレベル調整台座１４とが強固に固定される。
【００２５】
このとき、図２に示したように、木ねじ乃至タッピングねじ１１によって削り取られた床下地材７の削り屑１５は落ち込んで接触面９とねじ固定部１０との間隙１３に入り、ナット部材４のねじ固定部１０の削り屑１６は盛り上がって間隙１３に入り込むこととなる。したがって、木ねじ乃至タッピングねじ１１をねじ込むこと生じる削り屑１５，１６が床下地材２４とナット部材の接触面９とに入り込むことがないので、床下地材２４の上に床材を敷いた後で床材が軋むことがない。
【００２６】
なお、この発明に係るレベル調整台座は図示したものに限定されることなく、その目的の範囲で種々の変形が可能であることは勿論である。
【００２７】
例えば、リブ１２のみで床下地材７を水平に保つに十分な接触面９が確保できれば、筒状リブ６の長手方向の中間部外周に設けている接触面９を設けなくともよい。また、すべてのリブ１２の先端面が接触面９を構成する必要はなく、床下地材７を水平に保つことができる範囲で複数のリブ１２，１２，１２，・・・のうち一部の先端面が他の先端面より低く形成されていてもよい。この場合、先端面の低いリブ１２は、接触面９としては働かないもののナット部材４の補強材として働くことができる。
【００２８】
また、図示した実施の形態では調整ナット３をナット部材４の下端部に設けているが、これに限らず上方（筒状リブ６側）へ配置してもよい。
【００２９】
さらに、図示した実施の形態では接触面９を構成する部材として筒状リブ６と薄板状のリブ１２とを提案したが、接触面９は床下地材４の裏面とねじ固定部１０とを離間させて間隙１３を形成させられる部材に設けられていればよく、例えば、ねじ固定部１０に中実の柱状体を突設させ、この柱状体の先端面を接触面９としてもよい。
【００３０】
また、前述のとおり、ナット部材４はその造形性の点で合成樹脂材料を使用するとよいが、必ずしもこれに限られるものでない。たとえば、ポリプロピレン又はポリエチレン等の熱可塑性樹脂に木粉を配合したいわゆる人工木材を使用してもよい。具体的には、ポリプロピレン又はポリエチレン４９％に木粉５１％（体積比）を配合したものであれば射出成形が可能であり、造形性もよい。そして、木粉が５１％配合されていることで木材としての処分が認められるから損傷等により使えなくなった場合には焼却もでき、新たな射出成形材料として再利用することも可能であるため、環境保護の上でも好ましい。
【００３１】
【発明の効果】
以上説明したように、請求項１に記載のこの発明によれば、建物の基礎表面からの高さを調整する調整ボルトと該調整ボルトに螺合する調整ナットを設けたナット部材とを有するレベル調整台座であって、ナット部材には床下地材の裏面に接触する接触面と、床下地材を固定する木ねじ乃至タッピングねじを取り付けるための水平方向に広がった板状のねじ固定部とを有し、接触面とねじ固定部との間には、木ねじ乃至タッピングねじを床下地材の表面側からねじ固定部に向かってねじ込むことで生じる床下地材及びねじ固定部の削り屑が入り込むことのできる間隙が設けられているので、木ねじ乃至タッピングねじをねじ込むことで生じる削り屑が床下地材の裏面とナット部材の接触面との間に入り込むことがないから、床下地材の上に床材を敷いた後で床材が軋むようなことがない。
【００３２】
請求項２に記載された発明によれば、接触面がナット部材の一部であるリブの先端面であるので、ナット部材を合成樹脂材料による一体成形品とした場合にあっては、十分な肉逃げを取ることが可能であると共にリブに木ねじ乃至タッピングねじが干渉したとしてもねじ込みを阻止する抵抗が小さいので、木ねじ乃至タッピングねじのねじ込み位置を気にすることなく作業が進められるから、請求項１の効果に加えて、軽量、低廉かつ作業性のよいレベル調整台座を提供することができる。
【００３３】
請求項３に記載された発明によれば、ナット部材には、調整ナットの軸心と略同一の軸心を有し調整ボルトが貫通できる筒状リブが立設し、該筒状リブの外形形状が床下地材に明けられる取付孔に嵌合できるようになっているので、請求項１又は２に記載の効果に加えて、床下地材にレベル調整台座を仮止めする際の位置決めが容易となる。
【００３４】
請求項４に記載された発明によれば、筒状リブの外周に接触面を有するので、調整ボルト近くに接触面を構成するリブを設ける必要がなくなるため、請求項３の効果に加えて、構造がより簡単なものとなるからナット部材を成形するための金型の製作も容易になり製造コストの一層の低減が図れる。
【図面の簡単な説明】
【図１】  この発明の実施の形態に係るレベル調整台座の斜視図である。
【図２】  同レベル調整台座に床下地材を取り付けた状態の縦断面図である。
【図３】  同レベル調整台座の平面図である。
【図４】  同レベル調整台座の上に床下地材を敷き込む状態を示した斜視図である。
【図５】  従来の金属製のレベル調整台座に床下地材を取り付けた状態の縦断面図である。
【図６】  従来の合成樹脂製のレベル調整台座に床下地材を取り付けた状態の縦断面図である。
【図７】  従来の合成樹脂製のレベル調整台座に複数の床下地材を取り付けた状態の斜視図である。
【図８】  図６の縦断面図の要部拡大図である。
【符号の説明】
２、２５    調整ボルト
３、２２    調整ナット
４、２３    ナット部材
５          貫通孔
６          筒状リブ
７、２４    床下地材
８、２８    取付孔
９          接触面
１０          ねじ固定部
１２          リブ
１３          間隙
１４、２０、３０  レベル調整台座
【図１】
0004012740.tif 000002
【図２】
0004012740.tif 000003
【図３】
0004012740.tif 000004
【図４】
0004012740.tif 000005
【図５】
0004012740.tif 000006
【図６】
0004012740.tif 000007
【図７】
0004012740.tif 000008
【図８】
0004012740.tif 000009